(57)【特許請求の範囲】
【請求項１】
こむら部を支持する下側支持部１００と大腿部を支持する上側支持部２００が着用者の運動状態に応じて任意の相対角度を形成するように、前記下側支持部１００と上側支持部２００をヒンジ連結するヒンジ組立体３００を備えた膝関節補助器具において、
前記ヒンジ組立体３００は、
前記下側支持部１００の上部と前記上側支持部２００の下部とにそれぞれヒンジ結合される第１リンク３１０；
前記第１リンク３１０から離隔した位置で前記下側支持部１００にヒンジ結合され、前記上側支持部２００との接続部に直線状に貫設された直線スリット３２１と、前記直線スリット３２１から離隔した位置で曲線状に貫設される曲線スリット３２２と、を備える第２リンク３２０；
前記下側支持部１００と第２リンク３２０をヒンジ連結する第１ヒンジ部３３０；
前記下側支持部１００と第１リンク３１０をヒンジ連結する第２ヒンジ部３４０；
前記上側支持部２００と第１リンク３１０をヒンジ連結し、前記第２リンクの直線スリット３２１に摺動可能に結合される第３ヒンジ部３５０；及び
前記上側支持部２００に結合され、前記第２リンクの曲線スリット３２２に摺動可能に結合される回動連結部３６０；
を含んでなることを特徴とする、膝関節整形用補助器具。
【請求項２】
前記第１ヒンジ部３３０、第２ヒンジ部３４０、第３ヒンジ部３５０、及び回動連結部３６０は、
前記下側支持部１００が直立し、前記上側支持部２００が前記下側支持部１００から１０５°以上ないし１７６°以下の相対角度を成す状態で下側から順次位置することを特徴とする、請求項１に記載の膝関節整形用補助器具。
【請求項３】
前記第２リンク３２０は、
前記第１ヒンジ部３３０から前記第３ヒンジ部３５０側に延長されるにあたって、
移動経路が前記第２ヒンジ部３４０と重ならないように前記第２ヒンジ部３４０との隣接部が前記第２ヒンジ部３４０の外側に屈曲した形状を有することを特徴とする、請求項１または２に記載の膝関節整形用補助器具。
【請求項４】
前記第２リンクの直線スリット３２１は、
前記第３ヒンジ部３５０が前記第２ヒンジ部３４０から所定間隔を置いて回動変位を有するにあたって、
前記第１ヒンジ部３３０からの直線移動変位に相応する長さに形成されることを特徴とする、請求項１または２に記載の膝関節整形用補助器具。
【請求項５】
前記第２リンクの曲線スリット３２２は、
前記第２リンクの直線スリット３２１上での前記第３ヒンジ部３５０の直線移動変位と前記第３ヒンジ部３５０を中心とした前記回動連結部３６０の回動変位を複合適用して、前記直線スリット３２１の長手方向に沿って延長されながら前記直線スリット３２１側に屈曲する形状を有することを特徴とする、請求項１に記載の膝関節整形用補助器具。
【請求項６】
こむら部を支持する下側支持部１００と大腿部を支持する上側支持部２００が着用者の運動状態に応じて任意の相対角度を形成するように、前記下側支持部１００と上側支持部２００をヒンジ連結するヒンジ組立体３００、４００を備えた膝関節補助器具において、
前記下側支持部１００の上部と前記上側支持部２００の下部にそれぞれヒンジ結合される第１リンク３１０と、前記第１リンク３１０から離隔した位置で前記下側支持部１００にヒンジ結合され、前記上側支持部２００との接続部に直線状に貫設された直線スリット３２１と前記直線スリット３２１から離隔した位置で曲線状に貫設される曲線スリット３２２が備えられる第２リンク３２０と、前記下側支持部１００と第２リンク３２０をヒンジ連結する第１ヒンジ部３３０と、前記下側支持部１００と第１リンク３１０をヒンジ連結する第２ヒンジ部３４０と、前記上側支持部２００と第１リンク３１０をヒンジ連結して前記第２リンクの直線スリット３２１に摺動可能に結合される第３ヒンジ部３５０と、前記上側支持部２００に結合され、前記第２リンクの曲線スリット３２２に摺動可能に結合される回動連結部３６０とを備え、着用者の膝内側部または外側部側に設置される第１ヒンジ組立体３００；及び
前記下側支持部１００の上部に水平方向への弾性移動変位を有するように設置され、垂直方向への延長長さを有するスリット４１１が形成された下板スプリング４１０と、前記上側支持部２００の下部に水平方向への弾性移動変位を有するように設置され、垂直方向への延長長さを有するスリット４２１が形成された上板スプリング４２０と、前記下板スプリングのスリット４１１に摺動可能に結合され、着用者の膝側面部に接続する膝接続パッド６００の下部に固定結合される下側スプリング連結部４３０と、前記上板スプリングのスリット４２１に摺動可能に結合され、前記膝接続パッド６００の上部に固定結合される上側スプリング連結部４４０とを備え、着用者の膝外側部または内側部側に設置される第２ヒンジ組立体４００；
を含んでなることを特徴とする、膝関節整形用補助器具。
【請求項７】
上広下狭の縦断面形状を持ち、前記下側支持部１００の上部に設置される下側スポンジ部材５１０；及び
上狭下広の縦断面形状を持ち、前記上側支持部２００の下部に設置される上側スポンジ部材５２０；
をさらに含んでなることを特徴とする、請求項６に記載の膝関節整形用補助器具。
【発明の詳細な説明】
【技術分野】
【０００１】
本発明は膝関節整形用補助器具に係り、より詳しくは痛症の緩和及び矯正が必要であるか、補助器具の使用が要求される膝関節の安定化及び調整をはかるために、膝部位に着用する膝関節整形用補助器具に関するものである。
【背景技術】
【０００２】
一般に、膝関節補助器具は、膝関節の手術ないし整形外科的治療を受けた患者または障害者、老弱の膝及びその周辺部位に着用して、膝関節の動きを制御及び安定化し、関節の屈曲状態を制限するか矯正し、通常に制御可能な方法で膝負傷の再発を防止するために使用されている。
【０００３】
特に、二つの足を一所に集めて立ったとき、膝が集まらなくて外方へ曲がった状態の足を有する内反膝患者、または二つの足を一所に集めて立ったとき、膝下の部分が外方へ曲がった状態の足を有する外反膝患者のための膝関節補助器具の場合、着用者が直立するか足を伸ばす状態で、大腿骨を脛骨から離隔する方向に押し出すことで、狭くなっている膝骨が無理な圧迫を受けないで正常に離隔した状態を維持するようにする機能を有する。
【０００４】
このような機能を有する膝関節補助器具を着用した着用者が足を伸ばす過程で、大腿骨側に固定される上側支持部は脛骨側に固定される下側支持部から離隔するとともに、前記下側支持部とのヒンジ連結部を中心に回動する作動構造を具現することになる。
【０００５】
従来の膝関節補助器具は、前記下側支持部から離隔する方向への変位を有する上側支持部の直線運動を補助する部属及び組立体と、着用者の前方側への回転角変位を有する上側支持部の回転運動を補助する部属及び組立体が相互に独立的に作動することにより、直線運動と回転運動の移動経路が互いに重なることになり、独立的な方向性によって互いに干渉する場合が頻繁に発生するため、着用者の関節の動き及び歩行がなだらかになされることが難しいという問題点があった。
【発明の開示】
【発明が解決しようとする課題】
【０００６】
前述したような問題点を解決するために、本発明は、上側支持部が下側支持部との連結部を基準として直線移動かつ回動するにあたって、直線運動及び回転運動の移動経路が互いに重ならないながらも相互間の運動を互いに誘導するように連係する移動変位を有するようにガイドされて、着用者の関節の動き及び歩行がよりなだらかになされるようにする膝関節整形用補助器具を提供することにその目的がある。
【課題を解決するための手段】
【０００７】
前述したような問題点を解決するためになされた本発明は、こむら部を支持する下側支持部と大腿部を支持する上側支持部が着用者の運動状態に応じて任意の相対角度を形成するように、前記下側支持部と上側支持部をヒンジ連結するヒンジ組立体を備えた膝関節補助器具において、前記ヒンジ組立体は、前記下側支持部の上部と前記上側支持部の下部とにそれぞれヒンジ結合される第１リンク；前記第１リンクから離隔した位置で前記下側支持部にヒンジ結合され、前記上側支持部との接続部に直線状に貫設された直線スリットと、前記直線スリットから離隔した位置で曲線状に貫設される曲線スリットを備える第２リンク；前記下側支持部と第２リンクをヒンジ連結する第１ヒンジ部；前記下側支持部と第１リンクをヒンジ連結する第２ヒンジ部；前記上側支持部と第１リンクをヒンジ連結し、前記第２リンクの直線スリットに摺動可能に結合される第３ヒンジ部；及び前記上側支持部に結合され、前記第２リンクの曲線スリットに摺動可能に結合される回動連結部；を含んでなる膝関節整形用補助器具を提供する。
【０００８】
前記第１ヒンジ部、第２ヒンジ部、第３ヒンジ部、及び回動連結部は、前記下側支持部が直立し、前記上側支持部が前記下側支持部から１０５°以上ないし１７６°以下の相対角度を成す状態で下側から順次位置することが好ましい。
【０００９】
前記第２リンクは、前記第１ヒンジ部から前記第３ヒンジ部側に延長されるにあたって、移動経路が前記第２ヒンジ部と重ならないように前記第２ヒンジ部との隣接部が前記第２ヒンジ部の外側に屈曲した形状を有することが好ましい。
【００１０】
前記第２リンクの直線スリットは、前記第３ヒンジ部が前記第２ヒンジ部から所定間隔を置いて回動変位を有するにあたって、前記第１ヒンジ部からの直線移動変位に相応する長さに形成されることが好ましい。
【００１１】
前記第２リンクの曲線スリットは、前記第２リンクの直線スリット上での前記第３ヒンジ部の直線移動変位と前記第３ヒンジ部を中心とした前記回動連結部の回動変位を複合適用して、前記直線スリットの長手方向に沿って延長されながら前記直線スリット側に屈曲する形状を有することが好ましい。
【００１２】
また、参考例の構成は、こむら部を支持する下側支持部と大腿部を支持する上側支持部が着用者の運動状態に応じて任意の相対角度を形成するように、前記下側支持部と上側支持部をヒンジ連結するヒンジ組立体を備えた膝関節補助器具において、前記ヒンジ組立体は、前記下側支持部の上部に水平方向への弾性移動変位を有するように設置され、垂直方向への延長長さを有するスリットが形成された下板スプリング；前記上側支持部の下部に水平方向への弾性移動変位を有するように設置され、垂直方向への延長長さを有するスリットが形成された上板スプリング；前記下板スプリングのスリットに摺動可能に結合され、着用者の膝側面部に接続する膝接続パッドの下部に固定結合される下側スプリング連結部；及び前記上板スプリングのスリットに摺動可能に結合され、前記膝接続パッドの上部に固定結合される上側スプリング連結部；を含んでなる膝関節整形用補助器具を提供する。
【００１３】
また、前記目的を達成するために、本発明は、こむら部を支持する下側支持部と大腿部を支持する上側支持部が着用者の運動状態に応じて任意の相対角度を形成するように、前記下側支持部と上側支持部をヒンジ連結するヒンジ組立体を備えた膝関節補助器具において、前記下側支持部の上部と前記上側支持部の下部にそれぞれヒンジ結合される第１リンクと、前記第１リンクから離隔した位置で前記下側支持部にヒンジ結合され、前記上側支持部との接続部に直線状に貫設された直線スリットと前記直線スリットから離隔した位置で曲線状に貫設される曲線スリットが備えられる第２リンクと、前記下側支持部と第２リンクをヒンジ連結する第１ヒンジ部と、前記下側支持部と第１リンクをヒンジ連結する第２ヒンジ部と、前記上側支持部と第１リンクをヒンジ連結して前記第２リンクの直線スリットに摺動可能に結合される第３ヒンジ部と、前記上側支持部に結合され、前記第２リンクの曲線スリットに摺動可能に結合される回動連結部とを備え、着用者の膝内側部または外側部側に設置される第１ヒンジ組立体；及び前記下側支持部の上部に水平方向への弾性移動変位を有するように設置され、垂直方向への延長長さを有するスリットが形成された下板スプリングと、前記上側支持部の下部に水平方向への弾性移動変位を有するように設置され、垂直方向への延長長さを有するスリットが形成された上板スプリングと、前記下板スプリングのスリットに摺動可能に結合され、着用者の膝側面部に接続する膝接続パッドの下部に固定結合される下側スプリング連結部と、前記上板スプリングのスリットに摺動可能に結合され、前記膝接続パッドの上部に固定結合される上側スプリング連結部とを備え、着用者の膝外側部または内側部側に設置される第２ヒンジ組立体；を含んでなる膝関節整形用補助器具を提供する。
【００１４】
前記膝関節整形用補助器具は、上広下狭の縦断面形状を持ち、前記下側支持部の上部に設置される下側スポンジ部材；及び上狭下広の縦断面形状を持ち、前記上側支持部の下部に設置される上側スポンジ部材；をさらに含むことが好ましい。
【発明の効果】
【００１５】
前述したような構成による本発明は、第２リンクの直線スリットと曲線スリットが直線運動と回転運動の移動経路が互いに交差するか重ならないように相互に分離されながらも、直線運動と回転運動が相互の移動を誘導するように互いに連係する延長形態を有することにより、上側支持部が下側支持部を基準に第１リンクと連動して移動する過程で、上側支持部の直線移動とこれと交差する方向への曲線移動が効率よく誘導及びガイドされるという効果がある。
【００１６】
これにより、内反膝または外反膝患者の膝関節整形用に使用されるにあたって、膝骨の間の離隔間隔が狭い内側部または外側部側に第２リンクを備えたヒンジ組立体を取り付ければ、下側支持部から離隔する方向への上側支持部の直線移動と前方側への回動が相互に補完的になされることになって、着用者の関節屈曲状態を正常に矯正及び制御しながらも、関節の動き及び歩行がなだらかになるように補助することになるという他の効果がある。
【００１７】
また、内反膝または外反膝患者の膝関節整形用に使用されるにあたって、膝骨の間の離隔間隔が拡張した外側部または内側部側に下板スプリングと上板スプリングを備えたヒンジ組立体を取り付ければ、膝骨変形がひどくて膝関節のサイズが大きくなった患者が着用する場合にも、下板スプリングと上板スプリングの弾性変形によって、膝を無理に圧迫することなしに一定の接続圧力を維持することができるというさらに他の効果がある。
【００１８】
そして、上広下狭の下側スポンジ部材と上狭下広の上側スポンジ部材を下側支持部と上側支持部にそれぞれ付着することで、既存に２重の支持部材の間にリーフスプリング部材を結合した構造に比べ、支持部材を１重になったより簡単な構造に製作することができるのみならず、皮膚密着度及び着用感を一層向上させることができ、皮膚と支持部材間の加圧力によって柔軟に伸縮変形可能であるので、上側支持部の移動がよりなだらかになされることができるというさらに他の効果がある。
【発明を実施するための最良の形態】
【００１９】
本発明による膝関節整形用補助器具は、こむら部を支持する下側支持部１００と大腿部を支持する上側支持部２００が着用者の運動状態に応じて任意の相対角度を形成するように前記下側支持部１００と上側支持部２００をヒンジ連結するヒンジ組立体３００、４００を備えた膝関節補助器具に関するもので、直線運動及び回転運動をなだらかに誘導することができる構造を有するヒンジ組立体（以下、第１ヒンジ組立体３００という）及び/または側方向に柔軟に弾性移動可能な構造を有するヒンジ組立体（以下、第２ヒンジ組立体４００という）を備えた構成を有する。
【００２０】
以下では、前記第１ヒンジ組立体３００が膝関節の左、右側（着用者の右側足を基準に膝関節の内、外側）に設置された構造を有する第１実施例と、前記第１ヒンジ組立体３００と第２ヒンジ組立体４００が膝関節の左、右側にそれぞれ設置された構造を有する第２実施例に基づいて、本発明による膝関節整形用補助器具をより具体的に説明する。
【００２１】
まず、本発明による膝関節整形用補助器具の第１実施例を添付図面に基づいてより詳細に説明する。
【００２２】
図１は本発明による膝関節整形用補助器具の第１実施例を示す斜視図、図２は図１の他の使用状態を示す斜視図、図３Ａ及び図３Ｂは図１の側面図、図４Ａ及び図４Ｂ、図５Ａ及び図５Ｂ、図６Ａ及び図６Ｂ、及び図７Ａ及び図７Ｂはそれぞれ図３Ａ及び図３Ｂにおいて上側支持部が１９°、３８°、５７°、７１°の回転角変位に移動した状態を示す側面図、図８は図３の状態から図７の状態に変わる過程を示す要部側面図である。
【００２３】
前記第１ヒンジ組立体３００は、図１及び図２に示すように、大別して、第１リンク３１０、第２リンク３２０、第１ヒンジ部３３０、第２ヒンジ部３４０、第３ヒンジ部３５０、及び回動連結部３６０でなり、前記第１ヒンジ部３３０と第２ヒンジ部３４０がそれぞれ前記下側支持部１００と第２リンク３２０、前記下側支持部１００と第１リンク３１０を相互にヒンジ連結し、前記第３ヒンジ部３５０と回動連結部３６０が前記第２リンク３２０に形成されたスリット３２１、３２２に一部が拘束された状態でそれぞれ前記上側支持部２００と第１リンク３１０を相互にヒンジ連結し、前記上側支持部２００上に結合される構造を有する。
【００２４】
前記第１リンク３１０は、前記下側支持部１００と上側支持部２００の間の相対移動を媒介するように前記下側支持部１００と上側支持部２００の間に設置され、前記下側支持部１００の上部と前記上側支持部２００の下部に下、上両端部がそれぞれヒンジ結合される構成要素であり、前記下側支持部１００に結合されるに際しては、前記第２ヒンジ部３４０によってヒンジ連結され、前記上側支持部２００に結合されるに際しては、前記第３ヒンジ部３５０によってヒンジ連結される。
【００２５】
前記第１リンク３１０によって、前記上側支持部２００の下部は前記上側支持部２００の運動状態、変位及び角度にかかわらず、前記下側支持部１００の上部から、前記第２ヒンジ部３４０と第３ヒンジ部３５０の間の離隔間隔に相当する一定の離隔距離を維持することになる。
【００２６】
前記第２リンク３２０は、前記上側支持部２００が前記第１リンク３１０によって前記下側支持部１００に連結された状態で回動するにあたって、前記上側支持部２００の移動が最適化した形態になるように前記上側支持部２００との接続部に前記上側支持部２００の移動変位を特定するように拘束可能な直線スリット３２１と曲線スリット３２２を備え、前記下側支持部１００の上部と前記上側支持部２００の下部に下、上両端部がそれぞれヒンジ結合される。
【００２７】
前記第２リンク３２０は、前記下側支持部１００と結合されるにあたって、前記第２ヒンジ部３４０から離隔した位置で前記第１ヒンジ部３３０によってヒンジ連結され、前記上側支持部２００と結合されるにあたっては、前記第１ヒンジ部３３０を基準として前記上側支持部２００が直線移動変位及び回転移動変位を有する地点に直線スリット３２１と曲線スリット３２２をそれぞれ形成して、前記第３ヒンジ部３５０と回動連結部３６０がそれぞれ前記直線スリット３２１と曲線スリット３２２に一部が拘束された状態で前記上側支持部２００上に結合された構造を有する。
【００２８】
前記第２リンク３２０を前記下側支持部１００上にヒンジ連結する前記第１ヒンジ部３３０は前記第１リンク３１０を前記下側支持部１００上にヒンジ連結する前記第２ヒンジ部３４０から離隔した位置に設置されることにより、前記第１及び第２リンク３１０、３２０を前記上側支持部２００上に拘束する前記第３ヒンジ部３５０が前記第２ヒンジ部３４０を基準として回動するにあたって、前記第３ヒンジ部３５０は前記第２ヒンジ部３４０とは同じ離隔距離を維持することになるが、前記第３ヒンジ部３５０及び上側支持部２００の位置によって前記第１ヒンジ部３３０からは離隔距離が変わることになる。前記直線スリット３２１は前記第１ヒンジ部３３０を基準として前記第３ヒンジ部３５０が離隔もしくは隣接する往復移動変位を考慮して、これに相応する長さに貫設される。
【００２９】
前記上側支持部２００は、下部が前記第１及び第２リンク３１０、３２０にヒンジ結合された状態で、前記直線スリット３２１が形成する移動変位の範囲内で自由に回動可能であり、残り部分は前記第１リンク３１０及び第２リンク３２０の移動状態及び延長方向にかかわらず、前記第３ヒンジ部３５０を基準に独立的に回動することができる。
【００３０】
前記曲線スリット３２２は、前記直線スリット３２１に拘束された状態で具現可能な前記第３ヒンジ部３５０の直線移動変位と、前記直線スリット３２１内の任意の地点に位置する前記第３ヒンジ部３５０を基準として具現可能な前記回動連結部３６０の回動変位を複合適用して、前記直線スリット３２１の長手方向に沿って伸びながらも前記直線スリット３２１側に屈曲する曲線状に貫設される。
【００３１】
前記第１ヒンジ部３３０は前記下側支持部１００と第２リンク３２０をヒンジ連結し、前記第２ヒンジ部３４０は前記下側支持部１００と第１リンク３１０をヒンジ連結し、前記第３ヒンジ部３５０は前記第２リンクの直線スリット３２１に摺動可能に結合された状態で前記上側支持部２００と第１リンク３１０をヒンジ連結し、前記回動連結部３６０は前記第２リンクの曲線スリット３２２に摺動可能に結合された状態で前記上側支持部２００に結合される。
【００３２】
前記直線スリット３２１は前記第１及び第２リンク３１０、３２０に連結された前記第３ヒンジ部３５０の直線運動をなだらかに誘導することが可能な直線形態を持ち、前記曲線スリット３２２は前記上側支持部２００が回転角変位を有する過程で前記回動連結部３６０が回転移動すると同時に前記回動連結部３６０と同じ離隔距離を維持する第３ヒンジ部３５０を自然に上向きに移動させることになって、前記上側支持部２００の上向移動を効率よく誘導することになる。
【００３３】
図３Ａ〜図８は、前記上側支持部２００が前記下側支持部１００から１０５°の相対角度を成す状態から１７６°の相対角度を成す状態に変化する過程を示すもので、前記第１ヒンジ部３３０、第２ヒンジ部３４０、第３ヒンジ部３５０、及び回動連結部３６０が前記のような作動構造をなだらかに具現するように下側から順次位置し、前記下側支持部１００と上側支持部２００の間の相対角度によって前記第２リンク３２０、前記第３ヒンジ部３５０、及び回動連結部３６０の間の結合位置が変わることを確認することができる。
【００３４】
図３Ａ及び図３Ｂは前記上側支持部２００が前記下側支持部１００から１０５°の相対角度を成す状態を示すもので、前記第３ヒンジ部３５０と回動連結部３６０は前記第２リンクの直線スリット３２１と曲線スリット３２２の下端部に位置し、１７６°の相対角度を成す状態に変化する過程では、図４Ａ及び図４Ｂ、図５Ａ及び図５Ｂ、図６Ａ及び図６Ｂ、及び図７Ａ及び図７Ｂに示すように、前記第３ヒンジ部３５０と回動連結部３６０が相互に一定の離隔間隔を維持し、前記第２リンクの直線スリット３２１と曲線スリット３２２の上端部側に移動する。
【００３５】
前記のような構成を有する前記第１ヒンジ組立体３００を備えた本発明による膝関節整形用補助器具によれば、前記第２リンクの直線スリット３２１と曲線スリット３２２が、前記上側支持部２００の直線運動と回転運動の移動経路が互いに交差するか重ならないように相互に分離形成されながらも、直線運動と回転運動が相互の移動を誘導するように、互いに連係する延長形態を有することによって、前記上側支持部２００が下側支持部１００を基準に前記第１リンク３１０及び第２リンク３２０と連動して移動する過程で、前記上側支持部２００の直線移動とこれと交差する方向への曲線移動が効率よく誘導及びガイドされる。
【００３６】
これにより、内反膝または外反膝患者の膝関節整形用に使用されるにあたって、膝骨の間の離隔間隔が狭い内側部または外側部側に前記第１ヒンジ組立体３００を設置すれば、前記下側支持部１００から離隔する方向への上側支持部２００の直線移動と前方側への回動が相互に補完的になされることにより、着用者の関節屈曲状態を正常に矯正及び制御しながらも関節の動き及び歩行がなだらかになるように補助することができる。
【００３７】
図９は本発明による膝関節整形用補助器具の第２実施例を示す正面図、図１０は図９の第２ヒンジ組立体の使用状態を示す要部正面図である。
【００３８】
本発明による膝関節整形用補助器具の第２実施例は、図９に示すように、着用者が直立した状態で垂直方向への上向支持が必要な膝関節の左側に、前記第１実施例で説明したような構造を有する前記第１ヒンジ組立体３００が設置され、水平方向への可変伸張が必要な膝関節の右側に前記第２ヒンジ組立体４００が設置された構造を有する。
【００３９】
前記第２ヒンジ組立体４００は、大別して、下板スプリング４１０、上板スプリング４２０、下側スプリング連結部４３０、及び上側スプリング連結部４４０でなり、前記下板スプリング４１０と上板スプリング４２０が前記下側支持部１００と上側支持部２００にそれぞれ結合され、前記下側スプリング連結部４３０と上側スプリング連結部４４０が前記下板スプリング４１０と上板スプリング４２０にそれぞれ摺動可能に結合される構造を有する。
【００４０】
前記下板スプリング４１０と上板スプリング４２０はそれぞれ前記下側支持部１００の上部と上側支持部２００の下部に水平方向への弾性移動変位を有するように設置され、相互間の隣接端部が本発明を着用した着用者の膝側面部に接続する膝接続パッド６００に独立的に接続可能な程度の離隔距離を持ち、前記膝接続パッド６００との接続部には、垂直方向への延長長さを有するスリット４１１、４２１が形成される。
【００４１】
前記下側スプリング連結部４３０と上側リーフスプリング連結部４４０は前記下板スプリングのスリット４１１と上板スプリング４２０のスリット４２１にそれぞれ摺動可能に結合され、前記膝接続パッド６００の下部及び上部にそれぞれ固定結合される。
【００４２】
膝骨が拡張変形された内反膝または外反膝患者が前記第２ヒンジ組立体４００を備えた膝関節補助器具を着用すれば、図１０の（ａ）及び（ｂ）に示すように、着用者の膝骨突出状態に応じて前記下板スプリング及び上板スプリング４１０、４２０の末端部が水平方向に押し出され、前記スリット４１１、４２１が形成する移動限界の範囲内でさらに離隔され、前記膝接続パッド６００が前記下側スプリング連結部及び上側スプリング連結部４３０、４４０によって前記下板スプリング及び上板スプリング４１０、４２０に拘束された状態を維持しながら水平方向に移動する。
【００４３】
内反膝または外反膝患者の膝関節整形用に使用されるにあたって、膝骨の間の離隔間隔が拡張した外側部または内側部側に前記第２ヒンジ組立体４００を設置すれば、膝骨変形がひどくて膝関節のサイズの大きくなった患者が着用する場合にも、前記下板スプリング４１０と上板スプリング４２０の弾性変形によって膝を無理に圧迫しなく、一定の接続圧力を維持することができる。
【００４４】
これにより、膝骨の間の離隔間隔が狭い内側部または外側部側に前記第１ヒンジ組立体３００を設置し、膝骨の間の離隔間隔が拡張した外側部または内側部側に前記第２ヒンジ組立体４００を設置すれば、前記第１ヒンジ組立体３００が設置された一側では、着用者の関節屈曲状態を正常に矯正及び制御しながらも関節の動き及び歩行がなだらかになされるように補助することになり、前記第２ヒンジ組立体４００が設置された他側では、膝を無理に圧迫しなく、一定の接続圧力で膝関節を矯正することができる。
【００４５】
図１１は下側スポンジ部材と上側スポンジ部材の設置状態を示す概略図である。前記第１及び第２実施例のような構造を適用することにおいて、図１１に示すように、着用者のこむら及び大腿部と接続する前記下側支持部１００及び上側支持部２００上に上広下狭の縦断面形を持ち前記下側支持部１００の上部に設置される下側スポンジ部材５１０と、上狭下広の縦断面形状を持ち前記上側支持部２００の下部に設置される上側スポンジ部材５２０をそれぞれさらに備えることが好ましい。
【００４６】
前記下側スポンジ部材５１０と上側スポンジ部材５２０を付着すれば、下側支持部１００及び上側支持部２００と着用者皮膚の間の密着度及び着用感を一層向上させることがのみならず、既存に２重の支持部材の間にリーフスプリング部材を結合した構造に比べ、支持部材を１重になったより簡単な構造に製作することができ、着用者の皮膚と支持部材間の加圧力によって柔軟に伸縮変形可能であるスポンジ部材の特性によって、前記第１ヒンジ部３３０を基準とする前記上側支持部２００の伸張移動が一層なだらかになることができる。
【００４７】
以上、本発明の好適な実施例に基づいて説明したが、本発明はこのような実施例に限定されるものではなく、前記実施例を既存の公知技術と単純に組み合わせて適用した実施例とともに本発明の特許請求範囲及び詳細な説明で本発明が属する技術分野の当業者が変形して利用することができる技術は本発明の技術範囲に当然含まれるものである。
【産業上の利用可能性】
【００４８】
本発明は、痛症の緩和及び矯正が必要であるか、補助器具の使用が要求される膝関節の安定化及び調整をはかるために、膝部位に着用する。
【図面の簡単な説明】
【００４９】
【図１】本発明による膝関節整形用補助器具の第１実施例を示す斜視図である。
【図２】図１の他の使用状態を示す斜視図である。
【図３Ａ】図１の側面図である。
【図３Ｂ】図１の側面図である（スリットを強調）。
【図４Ａ】図３の状態から、上側支持部が１９°の回転角変位に移動した状態を示す側面図である。
【図４Ｂ】図３の状態から、上側支持部が１９°の回転角変位に移動した状態を示す側面図である（スリットを強調）。
【図５Ａ】図３の状態から、上側支持部が３８°の回転角変位に移動した状態を示す側面図である。
【図５Ｂ】図３の状態から、上側支持部が３８°の回転角変位に移動した状態を示す側面図である（スリットを強調）。
【図６Ａ】図３の状態から、上側支持部が５７°の回転角変位に移動した状態を示す側面図である。
【図６Ｂ】図３の状態から、上側支持部が５７°の回転角変位に移動した状態を示す側面図である（スリットを強調）。
【図７Ａ】図３の状態から、上側支持部が７１°の回転角変位に移動した状態を示す図２の側面図である。
【図７Ｂ】図３の状態から、上側支持部が７１°の回転角変位に移動した状態を示す図２の側面図である（スリットを強調）。
【図８】図３の状態から図７の状態に変化する過程を示す要部側面図である。
【図９】本発明による膝関節整形用補助器具の第２実施例を示す正面図である。
【図１０】図９の第２ヒンジ組立体の使用状態を示す要部正面図である。
【図１１】下側スポンジ部材と上側スポンジ部材の設置状態を示す概略図である。
【符号の説明】
【００５０】
１００  下側支持部、２００  上側支持部、３００  第１ヒンジ組立体、３１０  第１リンク、３２０  第２リンク、３２１  直線スリット、３２２  曲線スリット、３３０  第１ヒンジ部、３４０  第２ヒンジ部、３５０  第３ヒンジ部、３６０  回動連結部、４００  第２ヒンジ組立体、４１０  下板スプリング、４１１  下板スプリングのスリット、４２０  上板スプリング、４２１  上板スプリングのスリット、４３０  下側スプリング連結部、４４０  上側スプリング連結部、５１０  下側スポンジ部材、５２０  上側スポンジ部材。
【図１】
0004723626.tif 000002
【図２】
0004723626.tif 000003
【図３Ａ】
0004723626.tif 000004
【図３Ｂ】
0004723626.tif 000005
【図４Ａ】
0004723626.tif 000006
【図４Ｂ】
0004723626.tif 000007
【図５Ａ】
0004723626.tif 000008
【図５Ｂ】
0004723626.tif 000009
【図６Ａ】
0004723626.tif 000010
【図６Ｂ】
0004723626.tif 000011
【図７Ａ】
0004723626.tif 000012
【図７Ｂ】
0004723626.tif 000013
【図８】
0004723626.tif 000014
【図９】
0004723626.tif 000015
【図１０】
0004723626.tif 000016
【図１１】
0004723626.tif 000017